(57)【要約】  本発明は、医療技術の領域に関しており、人体または動物の体部、殊に、心臓及び／又は肺のバイタルパラメータの高速診断および監視用の、ケーブル及び／又はチューブレスのユーザが片手で使用することができるコンパクトな形式の診断および監視装置に関している。手のひらの大きさの横断面で、手の幅の約半分の高さのケーシング内に、体部に装着された側面で、体部の音響及び／又は電気信号を検出して転送するための、ホーンのような装置（４，５）が設けられている。当該装置は、検出装置の信号を解析、フィルタリング、記憶する装置、並びに、評価された信号を、デジタルまたはアナログ形式で表示フィールド（１４，１４，１６，１７）を用いてビジュアルに表示するための別の装置、及び／又は、ケーシング内に設けられたスピーカ（９）を介して音響再生するための装置と接続されている。診断及び監視装置は、付加的に、外部装置及び／又は機器（例えば、コンピュータ、イヤホン、プリンタ）の端子接続用のインターフェース（１０，１１）を有している。本発明の主要要件は、図１および３に示されている。
2005508673.tif 000002
【特許請求の範囲】
【請求項１】
ケーブル及び／又はチューブを必要としない、ユーザが片手で持ててセット可能な、コンパクトな診断装置の形式での、人体または動物の体部のバイタルパラメータの検査および監視装置（バイタルスコープ）において、
大きさが医者の白衣のポケット内に入る程度のケーシング内に、手のひらの大きさの横断面で、手の幅の約半分の高さで、体部の一つまたは複数の信号を検出して転送する装置（１，１″；２，２′，２″；３；４，５；４′；４″；４′″，３４，３９；４１；４３，２６，４７）が装着されており、当該検査装置によって供給された信号の電気的評価、フィルタリングおよび記憶用の装置、評価された前記信号をデジタルまたはアナログ形式でビジュアルに再生する装置（７，１４，１５，１６）または前記評価された信号を音響的に再生するための装置（９）が装着されており、当該の検査および監視装置に、当該装置の外側に、外部装置および機器、例えば、コンピュータ、イヤホン、ヘッドホン、プリンタおよび測定電極の端子接続用のインターフェース（１０，１１，２０，２２）が、ケーブルリード部（４″″）と一緒に設けられている
ことを特徴とする装置。
【請求項２】
評価された信号をビジュアルに再生する装置は、ディスプレイ−デジタルフィールド（１５）、ディスプレイ振幅バー（１６）および所要の操作キー（１３）並びに操作および表示領域内にまとめられた、または、当該操作および表示領域に対応つけられた、当該の装置のケーシングに装着された、ディスプレイ曲線フィールド（１４）のあるスクリーン（７）から構成されており、前記表示領域内には、同時に、または、同時でなく検出される複数の信号を表示することができ、前記操作および表示領域（１３，１５，１６）および前記スクリーン（７）は、体部とは反対側の、装置の上側に取り付けられている請求項１記載の装置。
【請求項３】
音響的に再生するための装置は、装置全体のケーシング内に統合されたアンプおよびアラーム報知器付スピーカ（９）であり、前記アンプおよびアラーム報知器付スピーカ（９）は、殊に、装置全体の、体部とは反対側の上面に取り付けられている請求項１又は２記載の装置。
【請求項４】
体部の信号検出用の装置は、電圧変動及び／又はインピーダンス値及び／又は温度値の形式の、電気信号用の検出ユニットであって、２つまたは複数の測定電極（４，５；４′；４″／４′″）から構成されており、前記測定電極は、装置全体のケーシングの下側に同一平面に設けられていて、被検体領域上に取り付け、ないし、装着することができる請求項１又は２記載の装置。
【請求項５】
体部の検出用の装置は、音響信号用の検出ユニットであって、ホーン（１，１″）、振動板（２，２′，２″）およびマイクロホン（３）から構成されており、前記振動板（２，２′，２″）は、被検体領域上に取り付け乃至装着するために、装置全体のケーシングの下側に設けられている請求項１又は３記載の装置。
【請求項６】
人体または動物の体部の酸素添加反応値および循環値の測定方法であって、殊に、動脈の酸素飽和、動脈、毛細管および静脈の血圧値および血液再循環時間（Ｒｅｋａｐｉｌｌａｒｉｓｉｅｒｕｎｇｓｚｅｉｔ）の測定方法において、
体の1部分を加圧装置によって所定のように一緒に加圧し、続いて、再度圧力を減圧し、当該過程中、前記体の1部分を光送信器と光受信器との間に配置し、並びに、透過し、当該過程中、光透過値を検出して補正する
ことを特徴とする測定方法。
【請求項７】
請求項１又は２記載の装置で、体の1部分、例えば、指部分の挿入用の入口部を有しており、前記指部分の、一方の側が、モジュールの外壁に当接され、且つ、前記指部分の対向している側が、トレー部（３３）に当接されており、前記トレー部は、加圧装置（３６〜４０）と接続されており、当該加圧装置（３６〜４０）と一緒にガイドレール（３５）内で水平方向に可動に案内されており、前記トレー部（３３）は、加圧軸（３８）および加圧モータ（４０）によって、装着された指部分に対して加圧し、該加圧時に、調整要素（３９）を介しての前記加圧軸（３８）への加圧力が調整および測定され、さらに、前記トレー部（３３）に装着すべき指部分の方向に光送信器（３４）が取り付けられ、前記光送信器は、光受信器（３４′）と一緒に、センサモジュールの対向する外壁と協働する
請求項６記載の方法を実施するための装置。
【請求項８】
測定電極（４）は、装置ケーシングの下側で内側に少しへこんで取り付けられていて、各々コンタクト部材スペース（５）を有しており、該部材スペース内に、例えば、コンタクトペーストのようなコンタクト部材が充填されている請求項４記載の装置。
【請求項９】
１つまたは複数の測定電極（４′，４″，４′″）が設けられており、該測定電極は、ホーン（１，１″）の振動板（２，２′，２″）と同一面内に設けられている請求項１および請求項２から６記載の装置。
【請求項１０】
測定電極（４′）は、ケーシングの下側に少し湾曲した表面を有しており、及び／又は、測定電極（４′″）は、まっすぐな表面を有している請求項１又は２記載の装置。
【請求項１１】
１つまたは複数の測定電極（４′）は、取り外し可能にケーシングの下側に装着されており、結合ケーブル（１９）またはワイヤレス送信器／受信器システムとして装置および電気信号の、前記装置の検出ユニットと接続されている請求項１および請求項１〜９迄の何れか１記載の装置。
【請求項１２】
音響信号用の検出ユニットは、交換可能なホーン（１″）を有しており、該ホーンは、ねじ、バヨネット式ロックまたは他の公知のやり方で装置のケーシング内に取り付けられており、交換可能な振動板（２′）がホーン（１′″）に装着されている請求項５記載の装置。
【請求項１３】
振動板（２，２″）付のホーン（１，１″）の代わりに、音響シリンダ（１′）が、装置の下側に取り付けられており、該音響シリンダは、同時にマイクロホン（３）の保持部として使用される請求項５記載の装置。
【請求項１４】
体部の信号検出用の装置は、体部表面の機械的な緊張／弾性用の検査ユニットであって、高さが種々異なってケーシング内に垂直方向に支承されたホーン（１）から構成されていて、圧力検出器（４２，４３）付の音響検出および再生部に対して付加的に協働する請求項１又は２記載の装置。
【請求項１５】
体部の信号検出用の装置は、体部表面の機械的な緊張／弾性の検出ユニットであって、振動板（２′）付のホーン（１，１″）から構成されており、前記振動板（２′）の、ホーンと同じ方の内側は、光反射性であり、前記ホーン（１，１″）には、相互に対向して設けられた光送信器（４１）および光受信器（４１′）が設けられており、前記光送信器（４１）および光受信器（４１′）は、前記振動板（２，２′）の垂直方向の凸状湾曲部での種々異なった光反射を検出して電子評価装置に転送する請求項１又は２記載の装置。
【請求項１６】
光送信器（４１）および光受信器（４１′）の代わりに、振動板（２，２′）が圧電素子または渦電流センサと接続されており、前記圧電素子または渦電流センサは、検査時に前記振動板（２，２′）の運動乃至位置を電気−電子信号に変換する請求項１４記載の装置。
【請求項１７】
人体または動物の体部の領域乃至組織の音響の伝導特性、反射特性、共振特性を診断するための装置において、打診要素により、標準化された音波を発生し、該音波の、体部乃至体の1部分による反射を検出装置によって受信して、電子装置によって評価する
ことを特徴とする装置。
【請求項１８】
打診要素は、音波発生部（２７′，４４〜４７）を有しており、該音波発生部は、請求項１又は２記載の装置内に装着され、前記音波発生部で、ハンマー部（２７′）は、音波発生用の電磁駆動部（４４〜４６）を有しており、被検体部分上にも載置された装置の下側のストッパ面（４７）上に当接する請求項１７記載の装置。
【請求項１９】
打診要素は、音波発生部（２６〜２９）を有しており、音波発生部（２６〜２９）は、請求項１又は２記載の装置のケーシングの外壁の側方に固定されているが、取り外し可能に装着されていて、アングルプロフィール部（２６）から形成されており、該アングルプロフィール部（２６）の脚部は、相互に直角の両面から形成されており、水平方向の脚部は、装置の下側と同一の水平方向の面内に位置しており、前記アングルプロフィール（２６）の垂直方向脚部の内側の上部領域（２９）に、板バネ（２８）が設けられていて、該板バネ（２８）は、当該板バネの下側端にハンマー（２７）を有しており、当該ハンマーは、弾性力を持って、前記アングルプロフィール部（２６）の水平方向脚部の内側上に載置されており、持ち上げおよび弾き返された時に衝撃ノイズを発生する請求項１７記載の装置。
【請求項２０】
装置は、最小化された発光体を装着可能な発光部（３１）を有している請求項１記載または請求項２〜１７迄の何れか１または複数記載の装置。
【発明の詳細な説明】
【技術分野】
【０００１】
本発明は、ケーブル及び／又はチューブを必要としない、ユーザが片手で持ててセット可能な、コンパクトな診断装置の形式での、人体または動物の体部のバイタルパラメータの検査および監視装置に関する。
【０００２】
公知の検査および監視装置では、検査すべき体部に複数の電極が取り付けられており、この電極により、体部の電圧変動が検出される。その際、測定ベクトルの個数を増やすために、同じように電極の個数が増やされる。この各電極は、たいていの公知装置でケーブルを用いて、信号増幅用の増幅器ユニット、および、評価装置に接続されている。この公知の検査および監視装置は、殊に前述のケーブル接続、適切な増幅器ユニットおよび評価装置によって、さらに、これらの各構成部分の空間的な寸法によって著しい欠点が生じる。一方では、ケーブルによって被検体のじゃまになる。特に、医者が使用する際に妨げとなる。つまり、装置は、その都度個別被検体に、その位置で接続されており、医者によって常時携行されているわけではない。さもないと、短時間で、多数の患者に端子接続して使用することができないからである。
【０００３】
ドイツ連邦共和国特許公開第４３２９８９８号公報からは、ケーブルレスの診断および監視装置が公知である。この装置では、電極を評価ステーションに電気ケーブル接続する必要がない。その際、被検体に取り付けられた電極に、送信ユニットおよびアンテナが装着され、この送信ユニットおよびアンテナにより、別個の評価ステーションにワイヤレスで接続されて、検出された信号が評価ステーションに送信される。同様に、評価ステーションは、受信ユニットおよびアンテナを利用する。この刊行物から、電極ケーシング内に複数の電極ピンを取り付けて、種々の位置での電位変動を種々のベクトルで検出することができる。この診断および監視装置には、それと同時にさらに著しい欠点もある。一方では、技術的に複雑であり、特に、必要な送信器、受信器、検出器、コーダユニット、デコーダユニットによって高価となる。構造の形式に制約された比較的大きな電極も体部に持続的にも、取り外し可能にも取り付ける必要があり、その際、種々の体部部分の検査のために、その都度別個の、必要な送信器および受信器付の電極を必要とする。別の決定的な欠点は、電極から空間的に離れていて位置固定の、比較的大きな評価ステーションの装置構成にあり、特に、ディスプレイ、メモリ、アラームユニットが含まれる。そのために、検査者、つまり、殊に医者がいつでもアクセスして見ることができない。つまり、携行することができないからである。しかも、検査機能（センサの種類）を極めて僅かしか装置内に統合することができず、殊に、聴診ができず、打診ができず、血液の酸素飽和も血液再循環（毛細血管循環）時間（Ｒｅｋａｐｉｌｌａｒｉｓｉｅｒｕｎｇｓｚｅｉｔ）も測定できないという欠点がある。
【０００４】
ドイツ連邦共和国特許公開第４０１２８７４号公報から、長時間ＥＫＧ測定装置付の、体部に取り付けて携行可能な血圧測定装置も公知である。この装置内には、自動的に血圧測定するために必要な装置部分が、カフマンシェットおよびポンプ、並びに、評価および制御回路と共にシステム内に統合されている。この装置は、特に、自動的な長時間ＥＫＧおよび血圧測定用に構成されており、有利には、ＥＫＧ変化と関連付けて血圧測定を行うという課題を有している。必要なカフマンシェットおよびその操作に使うポンプは、個別被検体に配属されており、この個別被検体によって携行される。さらに、この装置では、長時間ＥＫＧ測定装置の各電極及び各センサが、ケーブルを用いて長時間ＥＫＧ測定装置と接続されている。
【０００５】
本発明の課題は、公知の診断および監視装置の欠点を回避して、人体または動物の体部の極めて重要なバイタルパラメータの高速診断用、殊に、心臓及び／又は肺の拡張状態、性質、および、機能の検査、並びに、検査の持続的監視用の装置を、ユーザ、殊に、医者が常時携行し、即座に、他の接続端子を用いずに装着することができる程度にコンパクトな形状で、ケーブル及び／又はチューブ接続なしに使用することができるようにすること、並びに、人体または動物の体部の酸素添加反応値および循環値を、照射、および、減圧装置が接続された体の1部分上に圧力を加えて測定する方法を提供することにある。
【０００６】
この課題は、実質的に請求項１記載の各構成要件によって解決される。その他の有利な実施例は、別の請求項による構成によって達成される。
【０００７】
以下、本発明の実施例について、図を用いて説明する。その際：
図１は、バイタルパラメータの診断および監視用装置を長手方向に側面から見た図、
図２は、図１の診断装置を、被検体上に載置すべき下側面から見た図、
図３は、開いた状態のスクリーン並びに操作およびディスプレイ部のある図１の診断装置を上から見た図、
図４は、固定して統合されたスクリーンおよび開いた状態の保護カバー並びに引き出し可能なセンサ電極を有する変形実施例の診断装置を示す図、
図５は、図２同様に、図４の診断装置を下側から見た図、
図６は、図１同様に、診断装置を側面から見た別の実施例であるが、音響シリンダと共に、さらに、インターフェースを介して診断装置に装着された外部センサ電極、および、固定して統合されたスクリーンを共に示した図、
図７は、ディスプレイおよび操作フィールド並びにスクリーンを有する、図６の診断装置を上から見た図、
図８は、図２同様に、図６の診断装置を下から見た図、
図９は、交換可能なホーンおよび交換可能な、音響信号受信用の振動板を有する別の変形実施例の診断装置を示す図、
図１０は、図９の詳細部として、ホーン並びに振動板の使用前の状態を示す図、
図１１は、図９の詳細部として、他の、振動板なしのホーンを示す図、
図１２は、図１，４，６および９の診断装置の構成部品として側面に装着可能な打診モジュールを示す図、
図１３は、打診要素、電磁駆動ハンマー、ならびに、上側に操作およびディスプレイフィールド／スクリーンが装着された、挿入された体部用の加圧装置、および、光送／受信器を有する検出ユニットが統合されていて、診断装置の別の実施例を長手方向断面で見た図、
図１４は、図１３の診断装置のスクリーンを有する操作および表示フィールドを示す図、
図１５は、図１３の診断装置を、加圧装置の上の方から見た図、
図１６は、図１３の診断装置を、測定電極およびホーンのある、下の方から見た図
である。
【０００８】
図１〜３に示されている本発明の診断装置の実施例では、ケーシング内に、体部の音響信号用の検出ユニット１，２，３、並びに、電圧変動及び／又はインピーダンス値、及び／又は、温度値の形式の電気信号の検出ユニットが装着されており、検出ユニットは、コンタクト中間スペース５のある測定電極４から構成されており、その際、ホーンおよびコンタクト中間スペースのある各測定電極は、装置を使う際に、披検体の方に配向される。その際、ホーンの振動板２、および、測定電極４のコンタクト中間スペース５の端子は、同一の水平方向面内に位置している。装置の上側面上には、操作キー１３、スピーカ９、ディスプレイデジタルフィールド１５およびディスプレイ振幅バー１６を有する操作および表示フィールドが設けられている。ヒンジ８を用いて、診断装置のケーシングの外壁に、ディスプレイ曲線フィールド１４を有しているスクリーン７が開閉可能に装着されており、利用しない場合には、ヒンジ８を中心にして、操作および表示フィールドを閉じることができる。診断装置のケーシング内には、図には詳細に示していないが、測定値の増幅用、測定値の解析用および測定値の表示用にアナログおよびデジタル電子回路が装着されている。さらに、診断装置のケーシング内には、データ記憶用の素子が設けられている。音響信号用の検出ユニットは、振動板２が装着された音響シリンダ１と、装着されたマイクロホン３から構成されている。さらに、ケーシング内に、バッテリまたは蓄電池１２のような電流給電要素を収容するスペースが設けられている。図１に示されているように、図示の診断装置は、付加的にケーシングの外側に、イヤホン／ヘッドホン１０の端子用の端子ジャック、イヤホン／ヘッドホン１０の端子用、および、コンピュータ１１に端子接続するためのインターフェースを有している。ホーンのマイクロホン３は、スピーカ９と操作および表示フィールドで接続されている。
【０００９】
図４および５に示されている本発明の診断装置の実施例では、電気信号及び／又は温度値の検出ユニットによって検出されて評価された信号の、フラップ可能に装着されたビジュアル再生装置の代わりに、操作および表示フィールド内のディスプレイ曲線フィールド１４が設けられた、操作およびスクリーン７の形式の装置が構成されている。スクリーンと共に操作指示フィールドの保護のために、保護カバー１７はフラップ可能に装置の上側側縁に設けられている。さらに、診断装置の、この実施例は、図１〜３に示された実施例と一致してもよい。しかし、図４では、別の実施例で、ケーシング内に収納されるように設けられた、コンタクト中間スペース５がある測定電極４の代わりに、ケーシングの下側に、ホーン１と振動板２と同一面に配設されていて、少し湾曲するように設けられた測定電極４′を設けると目的に適っている。さらに、図４および５には、少なくとも各電極の一方には、取り外し可能にケーシングの下側に、診断装置との接続ケーブル１９付の測定電極４″として接続ケーブル１９が装着されていて、それ以外の装置とは別個に、体部の検査すべき箇所に単独で、または、それと同時に、別の各測定電極を有する装置を、他の体の1部分に用いることができる装置の下で使用することができるように示されている。測定電極４″の操作を容易にするために、この装置は、ハンドグリップ１８を有している。ここに図示の実施例では、さらに、スピーカ９が診断装置のケーシングの、他の箇所に設けられており、蓄電池スペース１２の代わりに、バッテリスペース２１が設けられている。さらに、ケーシングには、コンピュータインターフェース１１に対して付加的に、または、他の箇所に、プリンタとのインターフェース２０が設けられている。
【００１０】
別の実施例が、図６〜８に示されている。この実施例が、前述の実施例から実質的に区別されるのは、振動板２付のホーン１の代わりに、同時に後ろ側に接続されたマイクロホン３の保持部として使われる音響シリンダ１′が使用されている点にある。さらに、インターフェース２２が、端子プラグ２２′を用いて、ケーブルリード部を介して外部測定電極４″″の端子接続用に設けられている。さらに、その代わりに、ここでも使うことができる測定電極４′に、湾曲していない測定電極４″″が用いられている。スクリーンが統合された操作および表示フィールドは、この実施例でも、図７に相応して構成されているが、図１および３の実施例のように構成してもよい。
【００１１】
図９〜１１には、交換可能なホーン１″および交換可能な振動板２′が装着された、音響信号用の、検出ユニットの実施例の診断装置が示されており、その際、その都度使用されるホーンが、ネジ、バヨネット式ロックを用いて、または、その他の公知のやり方で、診断装置のケーシング内に装着されて、マイクロホン３と接続されている。
【００１２】
図１２には、付加的な構成部品として、打診モジュール２６〜２９が示されており、打診モジュール２６〜２９は、診断装置の実施例すべてに使用することができる。この打診モジュール２６〜２９は、アングルプロフィール部２６製、有利には、金属製であり、アングルプロフィール部の脚は、相互に直角に位置している面から形成されている。垂直に位置している脚は、図示の実施例では高さが、必須ではないが、診断装置の外壁の高さに相応しており、この脚の外側面にはモジュールが取り外し可能に、診断装置の外壁と固定して結合され、その際、モジュールの垂直脚は、披検体体部側の、診断装置の下側面の水平方向面に延びており、そうすることによって、同様に被検体上に載置することができるようにされている。プロフィール２６の垂直方向の脚には、その内側の上側領域２９内に、板バネ２８が設けられており、この板バネは、その下側端にハンマー２７を有している。このハンマーは、板バネと一緒に、プロフィール２６の水平脚の内側上に載置されている。検査時に、ハンマー２７と共にバネ２８を手で持ち上げることによって、垂直脚に弾き返された際に、打撃ノイズが生じ、この打撃ノイズが体部乃至被検体の体の1部分から反射され、その際、音響検出装置１，２，３；１′，３；１″″，２′，３によって検出され、転送されて処理される。
【００１３】
図１３〜１６には、本発明の診断装置の、別の実施例が図示されている。この実施例では、一方で、図１３から分かるように、音響検出装置１，２，３が、同時に電気−電子要素によって補完され、その際、振動板２″は、ホーン１の前側で、ホーンの方に向けられた内側面が光反射性であり、ホーン１に、相互に対向し合っている光送信器４１および光受信器４１′が設けられている。検査される体部部分に使用する際（例えば、患者の検査される腹壁の緊張状態の場合）、振動板２″の運動に相応して、光反射および光反射の種々の値が、要素４１，４１′によって測定され、評価のために、音響信号に対して付加的に転送される。光送信器４１および光受信器４１′と組み合わされた、光反射する振動板２″の代わりに、振動板２を、振動板の運動乃至位置を電気−電子信号に変換する圧電素子または渦電流センサと結合してもよい。この各装置要素２″、４１、４１′の代わりに、または、この各装置要素２″、４１、４１′に対して付加的に、検査される体の1部分での表面変化が、ホーン１上の圧力によっても測定することができ、ケーシング内にシフト可能に支承されていて、ホーン１上に加わっている圧力を圧力検出器４２，４３に転送する。
【００１４】
さらに、図１３では、図１２の打診モジュールの代わりに、音響形成部２７′、４４〜４７が、診断装置およびそのケーシング内に統合されている。その際、音響発生用のハンマー部２７″が、電磁駆動部４４，４５，４６によって動かされ、音響発生のために、診断装置の下側の、音響検出ユニットに対して振動版２，２″と同一面上に位置しているハンマー面４７に衝突する。この打診要素も、本発明の診断装置の、すべての実施例で使用することができる。
【００１５】
図１３の実施例では、前述の診断装置での、人体または動物の体部の酸素添加反応および循環値、例えば、動脈の酸素飽和、動脈の毛細血管および静脈の血圧値および血液再循環時間の測定に対して付加的に、検査される体の1部分での光透過値の検出および光透過値の較正用の検出ユニット３１〜４０が装着されるか、または、側方のヒンジを介して開閉可能に設けられている。この検出ユニットは、例えば、指部分のような体の1部分を挿入するための入口を有しており、その際、この体の1部分は、その一方の側が、モジュールの外壁に当接され、体の1部分の、それに対向する側がトレー部３３に当接され、このトレー部は、加圧装置３６〜４０と結合され、加圧装置３６〜４０と共にガイドレール３５内で水平方向に可動に案内される。その際、トレー部３３は、加圧シャフト３８および加圧モータ４０によって、挿入されている指部分に対して加圧される。加圧力は、調整要素３９を介して加圧シャフト３８で調整され、その際、この要素は、それと同時に、加圧力の高さを測定する。トレー部３３には、挿入されている指部分の方向に、１つまたは複数の光送信器３４が装着され、この光送信器は、対向している外壁上の相応の光受信器３４′と協働する。検査される体の1部分の照射時に、このセンサ対３４、３４′によって検出されて補正される光透過値が、信号として、診断装置の評価電子回路に伝送される。図１５には、取り付け装置が、検査される体の1部分用のベルト式保持部３０の形式で、検出ユニット３３−４０の上側面上に示されている。前述の検出装置３３−４０は、図１〜１２の診断装置とは無関係に、この診断装置から供給された信号の電子評価、フィルタリングおよび記憶用の装置、自立した診断装置として構成して装着することができる。
【００１６】
最後に、図１３〜１５には、診断装置のすべての実施例で使用することができる発光部３１が示されており、この発光部は、例えば、瞳の機能検査用に使うことができる。
【００１７】
本発明の装置、および、この装置によって実施される方法によって、患者のバイタルパラメータについて検査して、包括的に比較しうるように全体を表示することができ、特に、電気カルジオグラム、血圧乃至循環値、酸素添加反応値（血液の酸素飽和）、血液再循環時間、陣痛記録法および聴診を、検査者、殊に、医者がいつでも携行できるような小型装置で実行することができる。そのような、被検体乃至体の1部分の検出された電気および音響信号用の包括的な診断および監視に必要な、検出、転送、評価および記憶装置、並びに、検出されて評価された信号の表示領域の全てを有している。データの記憶および光学的、音響的表示により、殊に、聴診および打診、例えば、体部の両側を比較して聴診および打診することによって、ＥＫＧ（心電図）並びに心臓の音および雑音のような各測定値の比較判断が可能となる。装置は、多数の患者にいつでも使用することができ、機械的、音響的および電気的事象乃至信号を即座に解析することができ、殊に、心臓および肺およびその機能を解析することができる。しかも、装置の記憶機能（メモリ機能）により、同時に生起した２つの事象または時間的に別個に生起した事象も比較して解析することもできる。そうすることによって、この装置は、公知の診断および監視装置に較べて著しい効果を奏するようになる。
【図面の簡単な説明】
【００１８】
【図１】バイタルパラメータの診断および監視用装置を長手方向に側面から見た図
【図２】図１の診断装置を、被検体上に載置すべき下側面から見た図
【図３】開いた状態のスクリーン並びに操作およびディスプレイ部のある図１の診断装置を上から見た図
【図４】固定して統合されたスクリーンおよび開いた状態の保護カバー並びに引き出し可能なセンサ電極を有する変形実施例の診断装置を示す図
【図５】図２同様に、図４の診断装置を下側から見た図
【図６】図１同様に、診断装置を側面から見た別の実施例であるが、音響シリンダと共に、さらに、インターフェースを介して診断装置に装着された外部センサ電極、および、固定して統合されたスクリーンを共に示した図
【図７】ディスプレイおよび操作フィールド並びにスクリーンを有する、図６の診断装置を上から見た図
【図８】図２同様に、図６の診断装置を下から見た図
【図９】交換可能なホーンおよび交換可能な、音響信号受信用の振動板を有する別の変形実施例の診断装置を示す図
【図１０】図９の詳細部として、ホーン並びに振動板の使用前の状態を示す図
【図１１】図９の詳細部として、他の、振動板なしのホーンを示す図
【図１２】図１，４，６および９の診断装置の構成部品として側面に装着可能な打診モジュールを示す図
【図１３】打診要素、電磁駆動ハンマー、ならびに、上側に操作およびディスプレイフィールド／スクリーンが装着された、挿入された体部用の加圧装置、および、光送／受信器を有する検出ユニットが統合されていて、診断装置の別の実施例を長手方向断面で見た図
【図１４】図１３の診断装置のスクリーンを有する操作および表示フィールドを示す図
【図１５】図１３の診断装置を、加圧装置の上の方から見た図
【図１６】図１３の診断装置を、測定電極およびホーンのある、下の方から見た図
【符号の説明】
【００１９】
１  ホーン
１′  音響シリンダ
１″  交換式音響ヘッド
２  振動板
２′  交換式振動板
２″  コーティングされた振動板
３  マイクロホン
４  測定電極（およびサーモセンサ）
５  コンタクトペースト用の電極穴
６  アナログおよびデジタル電気回路
６′  トリガ素子
６″  データ記憶素子
６″′  フィルタ素子
６″″  遮蔽ケーシング
７  スクリーン
８  スクリーンの開閉用ヒンジ
９  スピーカ（信号及び／又は音響
１０  コンピュータとのインターフェース
１１  イヤホン乃至ヘッドホンとのインターフェース
１２  アキュムレータ乃至ネットワークへのインターフェース
１３  操作キー
オン／オフ
ディスプレイ用の個別電気導出部またはマイクロホンの選択キー
スピーカ用の個別電気導出部またはマイクロホンの選択キー
ディスプレイおよびスピーカ用のアンプキー
フィルタキー
メモリキー
較正信号始動部
１４  ディスプレイ曲線フィールド
１５  ディスプレイデジタルフィールド
周波数
振幅
１６  ディスプレイ振幅フィールド
１７  保護カバー
１８  グリップ
１９  内部電極ケーブル
２０  プリンタとのインターフェース
２１  バッテリスペース
２２  外部電極ケーブルとのインターフェース
２２′  外部電極ケーブル
２２″  外部電極保持部
２３  ＬＣＤ表示部
２４  ケーシング外装部
２５  音響ヘッド保持部
２６  打診フレーム部
２７  打診ハンマー部
２８  板バネ
２９  板バネアンカー点
３０  ベルト取付部
３１  （瞳孔機能検査用）照明部
３２  指センサ
３３  上皿
３４  血流用センサ対（光送信器および光受信器）
３５  ガイドレール
３６  加圧装置
３７  加圧ガイド
３８  加圧シャフト
３９  加圧位置調整および測定部
４０  加圧モータ
４１  壁部緊張力センサ対（光送信器および光受信器）
４２  ホーン弾性取付部
４３  圧力検出器
４４  復帰バネ付ハンマー直線軸
４５  電磁直線駆動部
４６  バネ付の軸ガイド部
４７  ハンマープレート
【図１】
2005508673.tif 000003
【図２】
2005508673.tif 000004
【図３】
2005508673.tif 000005
【図４】
2005508673.tif 000006
【図５】
2005508673.tif 000007
【図６】
2005508673.tif 000008
【図７】
2005508673.tif 000009
【図８】
2005508673.tif 000010
【図９】
2005508673.tif 000011
【図１０】
2005508673.tif 000012
【図１１】
2005508673.tif 000013
【図１２】
2005508673.tif 000014
【図１３】
2005508673.tif 000015
【図１４】
2005508673.tif 000016
【図１５】
2005508673.tif 000017
【図１６】
2005508673.tif 000018
【国際調査報告】
2005508673.tif 000019
2005508673.tif 000020
2005508673.tif 000021
2005508673.tif 000022
2005508673.tif 000023
2005508673.tif 000024